(57)【特許請求の範囲】
【請求項１】
互いに電気接続する一対の電線端末に圧着される第一ターミナルと第二ターミナルとからなり、これら第一、第二ターミナルは導電性金属板を屈折して形成したもので、
上記第一および第二ターミナルは夫々細長い平板からなる基板部と、該基板部の中央部の一側縁より突設した第一バネ片部を屈折して基板部との間に設けた雌嵌合部と、該雌嵌合部の形成位置より一端側へ突出した上記基板部の先端部分からなる雄嵌合部と、該基板部の他端側へ突出した部分に設けた電線圧着用バレル部とを備え、
第一ターミナルの上記第一バネ片部と第二ターミナルの上記第一バネ片部とは逆方向へ屈折して夫々上記雌嵌合部を形成し、かつ、上記第一バネ片の一部を切り起こして雌嵌合部の内部へ突出する第二バネ片部を設け、
第一ターミナルの雌嵌合部に第二ターミナルの雄嵌合部を、第一ターミナルの雄嵌合部を第二ターミナル雌嵌合部に嵌合し、２カ所で雌雄嵌合部を嵌合すると共にこれら２カ所の嵌合部ではそれぞれ雌嵌合部の上記第一バネ片と第二バネ片の２つのバネ片で雄嵌合部を基板部へ押圧して電気接続する構成としている大電流接続用ターミナル。
【請求項２】
互いに連結される電気接続箱の内部にそれぞれ収容される大電流用バスバーの一部を屈折して第一および第二ターミナルを設け、
上記第一および第二ターミナルは、バスバーの一部を屈折して設けた細長い平板からなる基板部と、該基板部の一側縁の中央部より突設した第一バネ片部を屈折して基板部との間に形成した雌嵌合部と、該第一バネ片部の一部を切り起こして上記雌嵌合部の内部へ突出させた第二バネ片部と、上記雌嵌合部の形成位置より突出した上記基板部の先端部分に設けた雄嵌合部とを備え、上記第一ターミナルの第一バネ片部と第二ターミナルの第一バネ片部とは逆方向へ屈折して上記雌嵌合部を形成し、
上記第一および第二ターミナルの少なくともいずれか一方を電気接続箱のボックス外壁より外方へ突出させて、上記雌嵌合部に相手方の雄嵌合部を挿入して接続して、上記第一ターミナルと第二ターミナルとを直接接続している大電流接続用ターミナルを用いた電気接続箱の接続構造。
【発明の詳細な説明】
【０００１】
【産業上の利用分野】
本発明は、大電流接続用ターミナルおよび該ターミナルを用いた電気接続箱の接続構造に関し、好ましくは、自動車に搭載されるジャンクションボックスにリレーボックス、ヒュージブルリングボックス、ヒューズボックスを簡単に電気接続すると共に、特に、電源側の大電流の通電を確保した状態で接続するものである。
【０００２】
【従来の技術】
従来より、自動車においては、バスバー等からなる内部回路部材を収容すると共に、リレー、ヒューズを搭載し、集中的に電源の分配と回路の分岐接続を行うジャンクションボックスが搭載されている。
即ち、図８に示すように、ジャンクションボックス１には、そのバッテリー接続側の上流側にヒュージブルリンクボックス２を接続し、負荷側の下流側にリレーボックス３を接続している。
【０００３】
上記ボックス（電気接続箱）１〜３の相互の電気接続は、図示のように、電線Ｗの端末にターミナル（端子金具）を圧着し、該ターミナルをコネクタ６に取り付け、該コネクタ６をボックスに形成したコネクタ収容部に嵌合して接続したり、あるいは電線Ｗの端末にターミナル５を取り付け、該ターミナル５を他のボックスのバスバー７に形成した接続部７ａにボルト・ナットを用いて接続している。
【０００４】
【発明が解決しようとする課題】
上記電線Ｗは、通電する電流量が大きくなると、その通電量に応じて直径も大きくなる。このように電線Ｗが大径（８ｍｍ２以上）となると、端末に取り付けるターミナル５が大型化してしまい、この大型化したターミナル５をコネクタ６に接続するには、コネクタに大きな端子収容室を設ける必要があり、種々の問題が発生する。
よって、電源側と接続して大電流を通電させる場合には、中径あるいは小径の複数本の電線を用いて分流するか、あるいは、そのまま大径の電線を用い、その端末に、図８に示すように、ボルト止用の丸穴５ａを有するターミナル５を接続し、ボルト・ナットを用いて、電気接続箱の内部に配置し、バスバーと接続している。
【０００５】
しかしながら、上記のように複数の電線を用いると、各電線と接続するターミナルの数、及び取付作業が増大、かつ、電線の肥大化を招く。一方、ボルト締めの場合には、ネジ締め作業が繁雑になると共に、ボルト・ナットの別部品が必要になり、夫々不具合があった。
【０００６】
本発明は上記問題に鑑みてなされたもので、電源側等の大電流接続用のターミナルとして好適に用いられ、かつ、ボルト・ナットによる接続ではなく、互いに雌雄嵌合で接続出来るようにした大電流接続用ターミナルおよび該ターミナルを用いた電気接続箱の接続構造を提供することを目的としている。
【０００７】
【課題を解決するための手段】
上記目的を達成するため、本発明は請求項１で、互いに電気接続する一対の電線端末に圧着される第一ターミナルと第二ターミナルとからなり、これら第一、第二ターミナルは導電性金属板を屈折して形成したもので、
上記第一および第二ターミナルは夫々細長い平板からなる基板部と、該基板部の中央部の一側縁より突設した第一バネ片部を屈折して基板部との間に設けた雌嵌合部と、該雌嵌合部の形成位置より一端側へ突出した上記基板部の先端部分からなる雄嵌合部と、該基板部の他端側へ突出した部分に設けた電線圧着用バレル部とを備え、
第一ターミナルの上記第一バネ片部と第二ターミナルの上記第一バネ片部とは逆方向へ屈折して夫々上記雌嵌合部を形成し、かつ、上記第一バネ片の一部を切り起こして雌嵌合部の内部へ突出する第二バネ片部を設け、
第一ターミナルの雌嵌合部に第二ターミナルの雄嵌合部を、第一ターミナルの雄嵌合部を第二ターミナル雌嵌合部に嵌合し、２カ所で雌雄嵌合部を嵌合すると共にこれら２カ所の嵌合部ではそれぞれ雌嵌合部の上記第一バネ片と第二バネ片の２つのバネ片で雄嵌合部を基板部へ押圧して電気接続する構成としている大電流接続用ターミナルを提供している。
【００１０】
さらに、請求項２で、互いに連結される電気接続箱の内部にそれぞれ収容される大電流用バスバーの一部を屈折して第一および第二ターミナルを設け、
上記第一および第二ターミナルは、バスバーの一部を屈折して設けた細長い平板からなる基板部と、該基板部の一側縁の中央部より突設した第一バネ片部を屈折して基板部との間に形成した雌嵌合部と、該第一バネ片部の一部を切り起こして上記雌嵌合部の内部へ突出させた第二バネ片部と、上記雌嵌合部の形成位置より突出した上記基板部の先端部分に設けた雄嵌合部とを備え、かつ、上記第一ターミナルの第一バネ片部と第二ターミナルの第一バネ片部とは逆方向へ屈折して上記雌嵌合部を形成し、
上記第一および第二ターミナルの少なくともいずれか一方を電気接続箱のボックス外壁より外方へ突出させて、上記雌嵌合部に相手方の雄嵌合部を挿入して接続して、上記第一ターミナルと第二ターミナルとを直接接続している大電流接続用ターミナルを用いた電気接続箱の接続構造を提供している。
【００１１】
なお、互いに接続する端子部の両方を夫々の電気接続箱のボックス外壁より突出させてもよい。
また、ボックス外壁には、ボックスから突出する端子部の両側に位置するように保護壁を突設し、端子部を保護するようにしている。
【００１２】
さらに、上記互いに接続する電気接続箱は、一方の電気接続箱を定置した状態で、他方の電気接続箱を側方から回転させて連結するようにし、互いに接続するターミナルも、一方のターミナルに対して他方のターミナルを側方から回転させながら嵌合接続するようにしており、該回転嵌合動作をスムーズにするために、上記ターミナルの雄嵌合部の一側縁に沿ってテーパ部を形成することが好ましい。
【００１３】
【作用】
本発明の請求項１に記載のターミナルでは、第一ターミナルと第二ターミナルを接続する時、これらターミナルの雌嵌合部を、基板部に対して逆方向に突出させた状態で嵌合させ、第一ターミナルの雄嵌合部を第二ターミナルの雌嵌合部に、第二ターミナルの雄嵌合部を第一ターミナルの雌嵌合部に夫々挿入して嵌合している。上記雌嵌合部に挿入した雄嵌合部は、第一バネ片部で基板部へと圧接される。
上記のように、互いの先端側の雄嵌合部が相手方の雌嵌合部に抱きかかえられるように嵌合され、２カ所の雌雄嵌合部分で嵌合された状態となり、各嵌合部では、平板形状の雄嵌合部を、雌嵌合部の基板部に面接触させるため、接触面積を広くとれ、よって、大電流を通電させることができる。
【００１５】
また、上記したように、第一バネ片部から第二バネ片部を切り起こして形成すると、２つのバネ片部で嵌合を保持できるため、嵌合力を高めることができる。
【００１６】
また、請求項２に記載の如く、電気接続箱の内部に収容するバスバーの一部にターミナルを設け、これらターミナルを雌雄嵌合することにより、電線を用いずに電気接続箱同士を直接電気接続することができる。
【００１７】
【実施例】
以下、本発明を図面に示す実施例を参照して詳細に説明する。
図１から図４は第１実施例を示し、該第１実施例は電気接続箱に収容するバスバーに大電流接続用のターミナルを一体的に形成し、該ターミナル同士を雌雄嵌合して、電気接続箱同士を電線を用いずに直接的に接続するものである。
【００１８】
即ち、第１実施例では、ジャンクションボックス１０、第一リレーボックス１１、第二リレーボックス１２等のボックス内部に収容するバスバー１３、１４、１５を屈曲加工してターミナル１３ａ、１４ａ、１５ａを形成し、これらターミナルにより、ジャンクションボックス１０を第一リレーボックス１１と接続し、該第一リレーボックス１１に第二リレーボックス１２を接続するようにしている。
【００１９】
上記ジャンクションボックス１０に収容するバスバー１３のターミナル１３ａは、第一ターミナルとなり、図２（Ａ）に示すように、水平方向に配置するバスバー１３の端末を９０度屈曲させて垂直方向に突出させて形成している。該ターミナル１３ａは、バスバー１３より屈折した垂直方向の細長い平板形状の基板部１３ｂを有し、該基板部１３ｂの先端部を雄嵌合部１３ｃとしている。
上記基板部１３ｂの長さ方向の上側縁１３ｄの中央部から第一バネ片部１３ｅを突設し、該第一バネ片部１３ｅを直角に屈折した後に下向きで且つ基板部側へ傾斜させて屈折し、その先端近傍をＶ字状に屈折させ、該Ｖ状屈折部１３ｆを基板部に圧接させた後に外側へ屈折している。このように第一バネ片部１３ｅを屈折することにより、基板部１３ｂとの間で、断面形状が下向き三角形の空間Ｓを有する雌嵌合部１３ｇを形成している。
さらに、上記第一バネ片部１３ｅから切り起こした第二バネ片部１３ｈを設け、該第二バネ片部１３ｈを上記空間Ｓに突出させている。
【００２０】
上記のように、ターミナル１３ａの雌嵌合部１３ｇでは、第一バネ片部１３ｅのＶ状屈折部１３ｆ及び第二バネ片部１３ｈが基板部１３ｂ側へ突出し、空間Ｓに挿入する雄嵌合部を基板部１３ｂへと押圧するようにしている。
また、該雌嵌合部１３ｇより突出した基板部１３ｂの先端部分の雄嵌合部１３ｃには、その上側縁に沿って、上向きに先細りとなるテーパ部１３ｉを設けている。
【００２１】
図２（Ｂ）に示すように、上記第一リレーボックス１１のバスバー１４のターミナル１４ａは、上記第一ターミナル１３ａと嵌合して接続する第二ターミナルとなり、上記ターミナル１３ａと同様に形成しており、バスバー１４より屈折して形成した基板部１４ｂの先端を雄嵌合部１４ｃとすると共に、基板部１４ｂより突設した第一バネ片部１４ｅを屈折して雌嵌合部１４ｇを形成し、該第一バネ片部１４ｅより切り起こした第二バネ片部１４ｈを設けている。
【００２２】
上記ジャンクションボックス１０のバスバー１３に形成した第一ターミナル１３ａの雌嵌合部１３ｇと、第一リレーボックス１１のバスバー１４に形成した第二ターミナル１４ａの雌嵌合部１４ｇとは、図４に示すように、雌嵌合部１３ｇに雄嵌合部１４ｃを、雌嵌合部１４ｇに雄嵌合部１３ｃを夫々嵌合した状態で、互いに当接する基板部１３ｂと１４ｂに対して逆方向へ突出した状態になるように形成している。
【００２３】
上記第一リレーボックス１１には上記ターミナル１４ａを間隔をあけて２カ所に形成しており、一方の第二ターミナル１４ａをジャンクションボックス１０のバスバーの第一ターミナル１３ａと接続させると共に、他方の第二ターミナル１４ａを第二リレーボックス１２のバスバー１５に形成した第一ターミナル１５ａと接続させるようにしている。
該バスバー１５の第一ターミナル１５ａは上記ジャンクションボックス１０のバスバー１３に形成した第一ターミナル１３ａと同一形状としている。
【００２４】
上記各ボックス１０、１１、１２は、外壁１０ａ、１１ａ、１２ａの所要位置に上記ターミナル１３ａ、１４ａ、１５ａが貫通する挿通穴１０ｂ、１１ｂ、１２ｂを設け、ターミナルをボックス外壁より外方に突出させるようにしている。ジャンクションボックス１０と第二リレーボックス１２には、それぞれ同一間隔の隙間とした一対の第一保護壁１０ｃ、１２ｃを設け、これら第一保護壁１０ｃ、１２ｃの内面側にフックピン１０ｄ、１２ｄを設けている。
一方、第一リレーボックス１１には、上記第一保護壁１０ｃ、１２ｃの間に挿入できる間隔とした一対の第二保護壁１１ｃを設け、その外面側には上記フックピン１０ｄ、１２ｄを斜め上方からの挿入するためのガイド溝１１ｄを設けると共に、該ガイド溝１１ｄの終端に嵌合穴１１ｅを設けている。
【００２５】
上記構成のジャンクションボックス１０、第一リレーボックス１１、第二リレーボックス１２の接続方法を説明すると、図１に示すように、定置したジャンクションボックス１０に対して第一リレーボックス１１を略直角方向の側方で、斜め上方から、図１中に矢印で示すように回転させて接続している。
ジャンクションボックス１０側へと回転させた第一リレーボックス１１は、まず、保護壁１０ｃに保護壁１１ｃが干渉し、保護壁１０ｃのフックピン１０ｄが保護壁１１ｃのガイド溝１１ｄに挿入する。よって、ガイド溝１１ｄはフックピン１０ｄにガイドされて移動し、保護壁１１ｃの内部のターミナル１４ａはターミナル１３ａに対して図３（Ａ）（Ｂ）（Ｃ）に示す順序で嵌合していく。
【００２６】
該嵌合時、まず、図３（Ａ）に示すように、ターミナル１４ａの先端側の雄嵌合部１４ｉのテーパ部１４ｉを設けた上端部の隅部で、ターミナル１３ａの雌嵌合部１３ｇの第一バネ片部１３ｅを撓ませながら内部空間Ｓに挿入する。
其の際、雌嵌合部１３ｇに挿入していく雄嵌合部１４ｃの先端をテーパ部１４ｉとしているため、スムーズな挿入が可能となる。
ついで、図３（Ｂ）に示すように、雄嵌合部１４ｉの上端縁が雌嵌合部１３ｇの空間上面に当接すると、該当接点Ｐを支点として、テコの原理で、基板部１４ｂが下向きに回転し、かつ、ターミナル１３ａ側へと前進する。
しかも、この時、上記フックピン１０ｄのガイド溝１１ｄの先端の嵌合穴１１ｅに達し、該フックピン１０ｄを支点として、保護壁１１ｃも下向きに回転する。
よって、図３（Ｃ）に示すように、基板部１３ｂに対して基板部１４ｂが平行な水平状態となりながら、雄嵌合部１４ｃは雌嵌合部１３ｇに挿入すると共に、保護壁１１ｃは保護壁１０ｃと平行に重なりあった状態となる。
【００２７】
この時、同時に、ターミナル１４ａの雌嵌合部１４ｇに、ターミナル１３ａの雄ターミナル１３ｃが同様な動作で嵌合する。
よって、図４（Ａ）（Ｂ）に示すように、雌雄嵌合が２カ所で生じる。
この２カ所の雌雄嵌合部分では、第一バネ片部１３ｅ、１４ｅで雄嵌合部１４ｃ、１３ｃを基板部１４ｂ、１３ｂへと圧接すると共に第二バネ片部１３ｈ、１４ｈで雄嵌合部１４ｃ、１３ｃを基板部１４ｂ、１３ｂへと圧接する。
【００２８】
第二リレーボックス１２と第一リレーボックス１１のバスバー１５と１３との接続も、上記と同様に、ターミナル１５ａと１３ａとにより直接嵌合している。
【００２９】
このように、電気接続箱の内部に収容するバスバーに夫々ターミナルを一体に形成し、これらターミナルの嵌合部では、２つのバネ片部で雄嵌合部を基板部へ押圧して面接触させるため、安定した接触を確保できる。
しかも、広面同士を接触させるため、大電流を導電することが可能となる。
さらに、ターミナル同士をワンタッチで嵌合して、接続することができる。
【００３０】
図５は第２実施例を示し、該第２実施例は大電流用の大径電線Ｗ１とＷ２の端末に圧着接続する大電流接続用の端子金具からなる第一ターミナル１３’と第二ターミナル１４’とからなり、これら第一と第二のターミナルとを雌雄嵌合して大径電線Ｗ同士を接続するようにしている。
【００３１】
導電性金属板を打ち抜いて屈折して形成した端子金具からなる第一ターミナル１３’は、第１実施例のバスバーと一体に形成した第一ターミナル１３ａと、バスバーとの接続側に電線圧着用バレル部１３ｋ’を設けた点、および第二バネ片部を形成していない点が相違する。
即ち、基板部１３ｂ’の中央部に第一バネ片部１３ｅ’を屈折して雌嵌合部１３ｇ’を設け、該雌嵌合部１３ｇ’より先端側に雄嵌合部１３ｃ’を形成している構成は同一である。
また、第二ターミナル１４ａ’は第一ターミナル１３ａ’の雌嵌合部１４ｇ’が基板部１４ｂ’に対して反対側へ突出している点だけが相違する。尚、第二ターミナル１４ａ’にも第二バネ片部は形成していない。
【００３２】
上記端子金具からなる第一ターミナル１３ａ’および第二ターミナル１４ａ’の上記電線圧着用バレル部１３ｋ’および１４’は夫々絶縁被覆用バレル１３ｋ’−１、１４’ｋ−１と、絶縁被覆より露出させた芯線用バレル１３ｋ’−２、１４’ｋ−２とからなる。これらバレルは大径電線Ｗ１、Ｗ２の絶縁被覆および芯線にそれぞれ圧着して、電線端末に固着している。
【００３３】
上記第一ターミナル１３ａ’と第二ターミナル１４ａ’とは、互いに対向配置して、第一ターミナル１３ａ’の雌嵌合部１３ｇ’に第二ターミナル１４ａ’の雄嵌合部１４ｃ’を、第二ターミナル１４ａ’の雌嵌合部１４ｇ’に第一ターミナル１３ａ’の雄嵌合部１３ｃ’を挿入して嵌合している。
其の際、雌嵌合部１３ｇ’、１４ｇ’に突出する第二バネ片部がないため、嵌合力を低くでき、接続作業が容易となる利点がある。
【００３４】
図６は第３実施例を示し、第２実施例と同様に大径電線に接続する端子金具からなる第一ターミナル１３ａ’と第二ターミナル１４ａ’とからなり、第一ターミナル１３ａ’は第１実施例と同様に雌嵌合部１３ｇ’の内部に突出する第二バネ片部１３ｈ’を形成している。かつ、第２実施例と同様に雄嵌合部１３ｃ’と反対側には電線圧着用バレル部１３ｋ’を設けている。
第二ターミナル１４ａ’は第一ターミナル１３ａ’と同様で、雌嵌合部１４ｇ’を基板部１４ｂ’に対して、第一ターミナル１３ａ’と反対側に突出させた点だけが相違する。
【００３５】
上記第３実施例では、夫々電線に圧着した第一ターミナル１３ａ’と第二ターミナル１４ａ’に第二バネ片部１３ｈ’、１４ｈ’を設けているため、嵌合力は高くなるが、嵌合した後に固定力を強くすることができる。
【００３６】
図７は参考実施例を示し、第一ターミナル１３ａ’は第３実施例と同一であるが、第二ターミナル１４ａ’は基板部１４ｂ’に雌嵌合部を形成せず、基板部１４ｂ’の先端に雄嵌合部１４ｃ’のみを設けた形状としている。
【００３７】
上記ターミナル１３ａ’と１４ａ’との嵌合接続は、上記実施例と同様に行われる。
該第４実施例の場合、嵌合時に作用するバネ片部が片方のみの半分となるため、嵌合力は少なくてすみ、容易に嵌合することができる。
【００３８】
尚、バスバーに一体にターミナルを形成する場合も、上記第２実施例および参考実施例の形状としてもよい。
【００３９】
【発明の効果】
以上の説明から明らかなように、本発明の請求項１のターミナル及び請求項２で用いるターミナルは、嵌合部における接触面積を大としているため、電源側回路等の大電流を通電する回路の接続用として用いることができる。
よって、従来例のように、大電流用の回路を接続するために、複数の電線を用いたり、ボルト締め用の端子を用いてボルト・ナットによる固定する必要がなく、略ワンタッチでターミナル同士を嵌合接続でき、作業が極めて簡単になり、さらに、別部品を不要とできる。
【００４０】
特に、請求項１に記載の構造では、雌雄嵌合部を２カ所とることができ、接触面積を増大させる利点を有する。
【００４１】
さらに、雌嵌合部にバネ片部を２つ設けると、雌雄嵌合部の保持力が強くなる利点がある。
【００４２】
さらに、電気接続箱に収容するバスバーにターミナルを一体に設け、請求項２の構成の如く、これらバスバーのターミナル同士を直接的に嵌合すると、従来の電線を介して接続する場合と比較して、作業工数が減少すると共に、電気接続箱の設置スペースを小さく出来る等の利点を有する。
【図面の簡単な説明】
【図１】本発明の第１実施例を示す斜視図である。
【図２】（Ａ）（Ｂ）は第１実施例のターミナルを示す斜視図である。
【図３】（Ａ）（Ｂ）（Ｃ）はターミナルの嵌合工程を示す要部正面図である。
【図４】（Ａ）は嵌合時の斜視図、（Ｂ）は（Ａ）のＩ−Ｉ線断面図である。
【図５】（Ａ）（Ｂ）は本発明の第２実施例のターミナルを示す斜視図である。
【図６】（Ａ）（Ｂ）は本発明の第３実施例のターミナルを示す斜視図である。
【図７】（Ａ）（Ｂ）は参考実施例のターミナルを示す斜視図である。
【図８】従来の電気接続箱の接続構造を示す斜視図である。
【符号の説明】
１０、１１、１２        ボックス（電気接続箱）
１３、１４、１５        バスバー
１３ａ、１４ａ、１５ａ    ターミナル
１３ｂ、１４ｂ、１５ｂ    基板部
１３ｃ、１４ｃ、１５ｃ    雄嵌合部
１３ｇ、１４ｇ、１５ｇ    雌嵌合部
１３ｅ、１４ｅ、１５ｅ    第一バネ片部
１３ｈ、１４ｈ、１５ｈ    第二バネ片部
１３ｉ、１４ｉ、１５ｉ    テーパ部
１３ｋ、１４ｋ            電線圧着バレル部
【図１】
0003546479.tif 000002
【図２】
0003546479.tif 000003
【図３】
0003546479.tif 000004
【図４】
0003546479.tif 000005
【図５】
0003546479.tif 000006
【図６】
0003546479.tif 000007
【図７】
0003546479.tif 000008
【図８】
0003546479.tif 000009